(57)【要約】【課題】ユーザの使用様態に拘わらず、干渉波電流による治療効率が高い低周波治療器を提供する。【解決手段】５つの導子Ｔ1〜Ｔ5を患部の周囲に適当に配置する。一対の導子Ｔ1，Ｔ3間に例えば１０００Ｈｚの電流を通流させると共に、他対の導子Ｔ2，Ｔ5間に例えば１００３Ｈｚの電流を通流させることによって、両対の導子Ｔ1，Ｔ3、Ｔ2，Ｔ5をそれぞれ結ぶ両線分の交点の周囲に干渉波を生成させる。所定時間経過後、異なる地点の周囲に干渉波を生成させるべく、前記他対の導子Ｔ2，Ｔ5の内の一方の導子Ｔ5の駆動を停止し、これに代えて導子Ｔ4を駆動することによって、導子Ｔ1，Ｔ3間及び導子Ｔ2，Ｔ4間に互いに異なる周波数の電流を通流させる。【選択図】    図１
2004202072.tif 000002
【特許請求の範囲】
【請求項１】
多角形状又は円形状に配置する複数の導子と、一対の導子間及び両導子と対角の位置に配置される他対の導子間に電流をそれぞれ通流させる駆動部と、両対の導子間に互いに異なる周波数の電流を通流させるように前記駆動部による導子の駆動動作を制御する制御部とを備え、両対の導子間に通流する異なる周波数の電流の干渉によって生じる干渉波を用いて治療を行う低周波治療器において、
５つ以上の導子を具備し、各導子別に駆動部がそれぞれ設けてあり、
前記制御部は、各導子の内の適宜の少なくとも２対の導子間に互いに異なる周波数の電流を、前記一対の導子間を結ぶ線分と、前記他対の導子間を結ぶ線分との交点の位置が経時的に異なるように通流させるべく、各駆動部の駆動動作を制御するようにしてあることを特徴とする低周波治療器。
【請求項２】
前記制御部は、適宜の前記一対の導子の一方を駆動する第１駆動部へ、一方の周波数の正極性（負極性）信号又は負極性（正極性）信号を出力すると共に、他方を駆動する第２駆動部へ負極性（正極性）信号又は正極性（負極性）信号を出力する第１信号出力手段と、適宜の前記他対の導子の一方を駆動する第３駆動部へ、他方の周波数の正極性（負極性）信号又は負極性（正極性）信号を出力すると共に、他方を駆動する第４駆動部へ負極性（正極性）信号及び正極性（負極性）信号を出力する第２信号出力手段とを具備する請求項１記載の低周波治療器。
【請求項３】
前記第１信号出力手段は、第１駆動部へ正極性信号及び負極性信号を交互に出力する複相出力モードと、第１駆動部へ正極性信号又は負極性信号を出力する単相出力モードとを切替可能にしてあると共に、第２駆動部へ負極性信号及び正極性信号を交互に出力する複相出力モードと、第２駆動部へ負極性信号又は正極性信号を出力する単相出力モードとを切替可能にしてあり、
前記第２信号出力手段は、第３駆動部へ正極性信号及び負極性信号を交互に出力する複相出力モードと、第３駆動部へ正極性信号又は負極性信号を出力する単相出力モードとを切替可能にしてあると共に、第４駆動部へ負極性信号及び正極性信号を交互に出力する複相出力モードと、第４駆動部へ負極性信号又は正極性信号を出力する単相モードとを切替可能にしてあり、
第１信号出力部及び／又は第２信号出力部に、複相出力モードと単相出力モードとを切り替えさせる切替器を備える請求項２記載の低周波治療器。
【請求項４】
各駆動部は、充電回路と、該充電回路に蓄えられた電荷を導子へ放電させる放電回路と、導子を接地させる接地回路とをそれぞれ具備し、前記放電回路に正極性信号が、前記接地回路に負極性信号が与えられるようになっている請求項２又は３記載の低周波治療器。
【請求項５】
各充電回路にはそれぞれゲートを介して電圧が印加されるようになっており、前記制御部は、各ゲートを開閉させる制御信号を出力する制御信号出力手段を具備する請求項４記載の低周波治療器。
【発明の詳細な説明】
【０００１】
【発明の属する技術分野】
本発明は、こり又は筋肉痛等が生じた患部に低周波の電流を通流することによって当該患部を治療する低周波治療器に関する。
【０００２】
【従来の技術】
図４は、後述する特許文献１に開示された従来の低周波治療器の動作状態を説明する説明図であり、図中、Ｔは低周波電流を患部へ導通する導子である。４つの導子Ｔ1，Ｔ2，Ｔ3，Ｔ4が、患部を中心とした正方形の各頂点の位置に配置してある。対角線上に配された２対の導子Ｔ1，Ｔ2、導子Ｔ3，Ｔ4には、両対に対応してそれぞれ設けた２つの出力回路から互いに異なる周波数の出力信号が与えられるようになっており、これによって両対の導子Ｔ1，Ｔ2、Ｔ3，Ｔ4を対角に結ぶ２つの低周波電流経路間に生じる電位差によって干渉波電流を生成させ、この干渉波電流によって、比較的深い患部を治療するようにしてある。
【０００３】
一方、両出力回路からそれぞれ出力された出力信号の電圧は、一方が漸減漸増されると共に他方が漸増漸減される動作を適宜の間隔で繰り返すようになっている。これによって、２対の導子Ｔ1，Ｔ2、導子Ｔ3，Ｔ4の間をそれぞれ結ぶ前記両対角線によって区切られる４つの領域又はその内の２つの領域（図４では４つの領域）に前述した干渉波電流が、両対角線の交点を中心とする適宜角度の移動範囲Ｒ1，Ｒ2，Ｒ3，Ｒ4内でその生成ベクトルを漸次移動させながら生成される。
【０００４】
この移動範囲は、２対の導子Ｔ1，Ｔ2、導子Ｔ3，Ｔ4に与えられる出力信号の電圧の変動率によって定まり、例えば、両出力信号の電圧を初期設定値の０％から１２０％に変動させた場合、移動範囲は前記両対角線の交点を中心とする９０度の範囲となり、両出力信号の電圧を初期設定値の５０％から１１０％に変動させた場合、移動範囲は前記両対角線の交点を中心とする４５度の範囲となる。
【０００５】
このように、２対の導子Ｔ1，Ｔ2、導子Ｔ3，Ｔ4の間をそれぞれ結ぶ線の交点を中心とする適宜の範囲に干渉波電流の生成ベクトルを移動させることができるため、深い患部を比較的広範囲に治療することができる。
【０００６】
【特許文献１】
特開平１０−８５３４２号公報（図２）
【０００７】
【発明が解決しようとする課題】
しかしながら、このような従来の低周波治療器にあっては、患部の治療効率を高めるために、２対の導子Ｔ1，Ｔ2、導子Ｔ3，Ｔ4を、患部を中心とした正方形の各頂点の位置に配置しなければならず、かかる位置関係から導子Ｔ1，Ｔ2、Ｔ3，Ｔ4の配置位置がずれるに従って治療効率が大きく低下するという問題があった。即ち、ユーザの使用様態によって、治療効率が大きく変動するのである。
【０００８】
本発明は斯かる事情に鑑みてなされたものであって、その目的とするところは、ユーザの使用様態に拘わらず、干渉波電流による治療効率が高い低周波治療器を提供することにある。
【０００９】
【課題を解決するための手段】
請求項１記載の本発明は、多角形状又は円形状に配置する複数の導子と、一対の導子間及び両導子と対角の位置に配置される他対の導子間に電流をそれぞれ通流させる駆動部と、両対の導子間に互いに異なる周波数の電流を通流させるように前記駆動部による導子の駆動動作を制御する制御部とを備え、両対の導子間に通流する異なる周波数の電流の干渉によって生じる干渉波を用いて治療を行う低周波治療器において、５つ以上の導子を具備し、各導子別に駆動部がそれぞれ設けてあり、前記制御部は、各導子の内の適宜の少なくとも２対の導子間に互いに異なる周波数の電流を、前記一対の導子間を結ぶ線分と、前記他対の導子間を結ぶ線分との交点の位置が経時的に異なるように通流させるべく、各駆動部の駆動動作を制御するようにしてあることを特徴とする。
【００１０】
請求項２記載の本発明は、前記制御部は、適宜の前記一対の導子の一方を駆動する第１駆動部へ、一方の周波数の正極性（負極性）信号又は負極性（正極性）信号を出力すると共に、他方を駆動する第２駆動部へ負極性（正極性）信号又は正極性（負極性）信号を出力する第１信号出力手段と、適宜の前記他対の導子の一方を駆動する第３駆動部へ、他方の周波数の正極性（負極性）信号又は負極性（正極性）信号を出力すると共に、他方を駆動する第４駆動部へ負極性（正極性）信号及び正極性（負極性）信号を出力する第２信号出力手段とを具備することを特徴とする。
【００１１】
請求項３記載の本発明は、前記第１信号出力手段は、第１駆動部へ正極性信号及び負極性信号を交互に出力する複相出力モードと、第１駆動部へ正極性信号又は負極性信号を出力する単相出力モードとを切替可能にしてあると共に、第２駆動部へ負極性信号及び正極性信号を交互に出力する複相出力モードと、第２駆動部へ負極性信号又は正極性信号を出力する単相出力モードとを切替可能にしてあり、前記第２信号出力手段は、第３駆動部へ正極性信号及び負極性信号を交互に出力する複相出力モードと、第３駆動部へ正極性信号又は負極性信号を出力する単相出力モードとを切替可能にしてあると共に、第４駆動部へ負極性信号及び正極性信号を交互に出力する複相出力モードと、第４駆動部へ負極性信号又は正極性信号を出力する単相モードとを切替可能にしてあり、第１信号出力部及び／又は第２信号出力部に、複相出力モードと単相出力モードとを切り替えさせる切替器を備えることを特徴とする。
【００１２】
請求項４記載の本発明は、各駆動部は、充電回路と、該充電回路に蓄えられた電荷を導子へ放電させる放電回路と、導子を接地させる接地回路とをそれぞれ具備し、前記放電回路に正極性信号が、前記接地回路に負極性信号が与えられるようになっていることを特徴とする。
【００１３】
請求項５記載の本発明は、各充電回路にはそれぞれゲートを介して電圧が印加されるようになっており、前記制御部は、各ゲートを開閉させる制御信号を出力する制御信号出力手段を具備することを特徴とする。
【００１４】
【発明の実施の形態】
本発明では、多角形状又は円形状に配置する５つ以上の導子を、患部の周囲に多角形状又は円形状に配置する。対をなす導子間に電流を通流させて導子を駆動する駆動部が、各導子別にそれぞれ設けてある。これら各駆動部の駆動動作を制御する制御部は、各導子の内の適宜の一対の導子間及び両導子と対角の位置に配置される他対の導子間に、互いに異なる周波数の電流を通流させるように駆動部による導子の駆動動作を制御するが、このとき、前記一対の導子間を結ぶ線分と、前記他対の導子間を結ぶ線分との交点の位置が経時的に異なるように、適宜の２対の導子に係る駆動部を駆動させる。
【００１５】
これによって、干渉波による治療領域が順次移動するため、各導子を患部の周囲に適当に配置した場合でも、患部及びその周囲を十分に治療することができる。従って、ユーザの使用様態に拘わらず、干渉波による治療効率が高い低周波治療を行うことができる。
【００１６】
また、本発明では、前記制御部に設けてある第１信号出力手段は、適宜の前記一対の導子の一方を駆動する第１駆動部へ、一方の周波数の正極性信号・負極性信号を交互に出力する場合は、これと同期して、他方の導子を駆動する第２駆動部へ負極性信号・正極性信号を交互に出力し、また、第１駆動部へ負極性信号・正極性信号を交互に出力する場合は、これと同期して、第２駆動部へ正極性信号・負極性信号を交互に出力する。また、第１信号出力手段は、第１駆動部へ正極性信号を出力する場合は、これと同期して、第２駆動部へ負極性信号を出力し、また、第１駆動部へ負極性信号を出力する場合は、これと同期して、第２駆動部へ正極性信号を出力する。これによって、任意の導子を正極としても、負極としても駆動させることができ、前述した交点を適宜に移動させることができる。
【００１７】
一方、本発明では、複相出力モードと単相出力モードとを切り替えさせる切替器によって、前述した第１信号出力手段に、第１駆動部及び第２駆動部へ信号を出力するモードを、正極性信号及び負極性信号を交互に出力する複相出力モードから、正極性信号又は負極性信号を出力する単相出力モードへ、また、単相モードから複相モードへ切り替えさせる。単相モードでは、干渉波による治療領域は相対的に狭く、患部を集中的に治療することができる。一方、複相モードでは、干渉波による治療領域は相対的に広く、より広い領域を十分に治療することができる。
【００１８】
また、前記切替器によって、第２信号出力手段に、第３駆動部及び第４駆動部へ信号を出力するモードを、複相出力モードから単相出力モードへ、また、単相モードから複相モードへ切り替えさせるようにしてもよい。これによって、より集中的に、またより広い領域を十分に治療することができる。
【００１９】
更に、本発明では、充電回路に電荷を蓄え、該充電回路と導子との間に介装した放電回路に所要周波数の正極性信号を与えて、充電回路から導子へ放電させることによって、当該導子を正極として駆動する。一方、導子には接地回路が接続してあり、該接地回路に負極性信号を、対をなす導子の駆動部に与えられる正極性信号と同期して与えることによって、当該導子を負極として駆動する。これによって、比較的簡単な構成で任意の導子を正極又は負極として駆動することができ、装置コストの低減化を図ることができる。
【００２０】
また、本発明では、各充電回路にはそれぞれゲートを介して電圧が印加されるようになっており、制御部に設けてある制御信号出力手段は、駆動対象のゲートに開信号を出力し、駆動対象でないゲートに閉信号を出力する。これによって、駆動対象でない導子に係る充電回路には電荷が蓄えられないため、駆動停止状態から駆動状態に切り替えられたタイミングで、当該導子からユーザに刺激を与える電流が通流されることが防止される。
【００２１】
【実施例】
以下、本発明の内容を図面に基づいて詳述する。
【００２２】
図１は本発明に係る低周波治療器の要部構成を示すブロック図であり、５つの導子Ｔ1〜Ｔ5を備える場合に付いて示してある。各導子Ｔ1〜Ｔ5は、それぞれに対応して設けてある駆動回路Ｅ1〜Ｅ5によって各別に駆動されるようになっており、各駆動回路Ｅ1〜Ｅ5の駆動動作は制御部１によって制御される。なお、本発明は５つの導子を備える場合に限らず、５つ以上の導子を備える場合に適用できる。この場合、各導子に対応して前記駆動回路をそれぞれ設ける。
【００２３】
駆動回路Ｅには、コンデンサにより充放電を繰り返す発振回路８が設けてあり、発振回路８には昇圧部９を介して、対応する導子Ｔに所定周波数の電流を通流させる放電回路10が接続してある。この放電回路10には、制御部１に設けてあるプラス極性パルス生成部４の第１生成部41から例えば１０００Ｈｚのプラス極性のパルスが、又はプラス極性パルス生成部４の第２生成部42から例えば１００３Ｈｚのプラス極性のパルスが与えられるようになっており、放電回路10は、与えられたパルスの周波数で発振回路８から放電させ、その周波数の電流を導子Ｔに入力させる。
【００２４】
前述した発振回路８には、ノア回路といったゲート７からの出力が与えられるようになっており、該ゲート７の一方の入力には、制御部１に設けてある昇圧用パルス生成部２から、発振回路８を充電させると共に該発振回路８の放電出力を昇圧部９で昇圧させるための昇圧用パルスが与えられるようになっており、ゲート７の他方の入力には、制御部１に設けてある発振回路制御部３から、該ゲート７を開閉させて前記発振回路８の駆動・停止を制御するための制御信号が与えられるようになっている。
【００２５】
一方、導子Ｔには、駆動回路Ｅに設けてある接地回路11も接続してあり、該接地回路11には、制御部１に設けてあるマイナス極性パルス生成部５の第３生成部53から例えば１０００Ｈｚのマイナス極性のパルスが、又はマイナス極性パルス生成部５の第４生成部54から例えば１００３Ｈｚのマイナス極性のパルスが、前記プラス極性パルスと同期して与えられるようになっている。
【００２６】
制御部１の昇圧用パルス生成部２は、適宜周波数の昇圧用パルスを生成し、それを各駆動回路Ｅ1〜Ｅ5のゲート７〜７にそれぞれ与える。制御部１の発振回路制御部３は、五角形状又は円形状に配置した５つの導子Ｔ1〜Ｔ5の内の対をなす適宜の２組の導子Ｔ，Ｔ、Ｔ，Ｔを所定の順番で駆動させるべく、対応する４つの駆動回路Ｅのゲート７，７，７，７に制御信号をそれぞれ与えて各ゲート７，７，７，７を開にする。このとき、２組の導子Ｔ，Ｔ、Ｔ，Ｔは、対をなす導子Ｔ，Ｔ、導子Ｔ，Ｔを結ぶ線分が互いに交わるように設定してある。
【００２７】
このように、発振回路制御部３からの制御信号によって閉状態のゲート７に接続した発振回路８には、前述した昇圧用パルスが与えられないため、駆動停止中に発振回路８に充電されることが防止され、当該駆動回路Ｅが駆動停止状態から駆動状態に切り替えられたタイミングで、刺激を与える電流がユーザに通流されることが防止される。
【００２８】
なお、本発明では、対をなす２組の導子Ｔ，Ｔ、Ｔ，Ｔを予め定めた順番で駆動させる場合に限らず、ランダムに駆動させるようにしてもよい。ただし、ランダムに駆動する場合であっても、２組の導子Ｔ，Ｔ、Ｔ，Ｔは、対をなす導子Ｔ，Ｔ、Ｔ，Ｔをそれぞれ結ぶ両線分が互いに交わるようにする。
【００２９】
ゲート７，７，７，７が開にされた４つの駆動回路Ｅ，Ｅ，Ｅ，Ｅの発振回路８，８，８，８には、制御部１の昇圧用パルス生成部２から、昇圧用パルスがそれぞれ与えられ、各発振回路８，８，８，８は与えられた昇圧用パルスによって充電する。
【００３０】
駆動対象の２組の導子Ｔ，Ｔ、Ｔ，Ｔの内の一方組であって、当該組の対をなす一方の導子Ｔに係る駆動回路Ｅの放電回路10に、例えば前記第１生成部41から１０００Ｈｚでプラス極性のパルスが与えられる場合、他方組であって、当該組の対をなす一方の導子Ｔに係る駆動回路Ｅの放電回路10には、前記第２生成部42から１００３Ｈｚのプラス極性のパルスが与えられる。
【００３１】
この場合、駆動対象の２組の導子Ｔ，Ｔ、Ｔ，Ｔの内の一方組であって、当該組の対をなす他方の導子Ｔに係る駆動回路Ｅの接地回路11には、前述したマイナス極性パルス生成部５に設けてある第３生成部53から、１０００Ｈｚでマイナス極性のパルスが、前記第１生成部41で生成されたプラス極性のパルスと同期して与えられる。また、他方組であって、当該組の対をなす他方の導子Ｔに係る駆動回路Ｅの接地回路11には、前記マイナス極性パルス生成部５に設けてある第４生成部54から１００３Ｈｚでマイナス極性のパルスが、前記第２生成部42で生成されたプラス極性のパルスと同期して与えられる。
【００３２】
これによって、一方組の対をなす導子Ｔ，Ｔ間には、例えば１０００Ｈｚの電流が単相で通流し、他方組の対をなす導子Ｔ，Ｔ間には、例えば１００３Ｈｚの電流が単相で通流するため、２組の導子Ｔ，Ｔ、Ｔ，Ｔの対をなす導子Ｔ，Ｔ、導子Ｔ，Ｔをそれぞれ結ぶ両線分の交点を中心とする相対的に狭い領域に、両周波数の差分に相当する干渉波が生成され、生成された干渉波によって当該領域を治療する。
【００３３】
ところで、制御部１には、治療領域の広狭を切り替える第１切替器21から、正負複相の干渉波によって相対的に広い領域を治療すべく、切替信号が与えられるようになっており、当該切替信号が制御部１に与えられた場合、プラス極性パルス生成部４の第１生成部41は、対をなす一方の導子Ｔに係る放電回路10にプラス極性のパルスを与え、マイナス極性パルス生成部５の第３生成部53は、当該導子Ｔに係る接地回路11に前記プラス極性のパルスのタイミングと僅かにずれたタイミングでマイナス極性のパルスを与え、また、マイナス極性パルス生成部５の第３生成部53は、対をなす他方の導子Ｔに係る接地回路11に前記一方の導子Ｔへのプラス極性のパルスと同期してマイナス極性のパルスを与え、プラス極性パルス生成部４の第１生成部41は、当該他方の導子Ｔに係る放電回路10に前記一方の導子Ｔへのマイナス極性のパルスと同期してプラス極性のパルスを与える。
【００３４】
前述した如く、２組の対をなす導子Ｔ，Ｔ、Ｔ，Ｔは、５つの導子Ｔ1〜Ｔ5の内の所定の組み合わせ順で、順次切替駆動されるようになっており、導子Ｔ1〜Ｔ5の組み合わせが切り替えられるに従って、前述した干渉波による治療領域が順次移動する。従って、５つの導子Ｔ1〜Ｔ5は患部の周囲に適当に配置するだけでよく、その場合でも、干渉波による治療領域が順次移動するので、患部及びその周囲を十分に治療することができる。すなわち、ユーザの使用様態に拘わらず、干渉波電流による治療効率が高い低周波治療を施すことができる。
【００３５】
一方、制御部１には、干渉波周波数を例えば１Ｈｚずつ複数段階に切り替える第２切替器22からの切替信号も与えられるようになっており、該切替信号が与えられた場合、プラス極性パルス生成部４の第１生成部41及び第２生成部42、並びにマイナス極性パルス生成部５の第３生成部53及び第４生成部54は、当該切替信号に応じた差分の干渉波を生成すべく、プラス極性パルス及びマイナス極性パルスの周波数を変更する。
【００３６】
次に、導子の切替動作について説明する。
【００３７】
図２は、図１に示した各導子の配置及び干渉波の生成領域を説明する説明図であり、図３は、図２に示した各導子の切替動作の一例を説明する説明図である。図２に示した如く、患部の周囲であって、例えば五角形の各頂点の位置にそれぞれ導子Ｔ1〜Ｔ5を配置する。そして、一対の導子Ｔ1，Ｔ3間に例えば１０００Ｈｚの電流を通流させると共に、他対の導子Ｔ2，Ｔ5間に例えば１００３Ｈｚの電流を通流させることによって、両対の導子Ｔ1，Ｔ3、Ｔ2，Ｔ5をそれぞれ結ぶ両線分の交点であるポイントＰ1の周囲に干渉波を生成させる。
【００３８】
所定時間（例えば、２又は３秒）経過後、ポイントＰ2の周囲に干渉波を生成させるべく、前記他対の導子Ｔ2，Ｔ5の内の一方の導子Ｔ5の駆動を停止し、これに代えて導子Ｔ4を駆動することによって、導子Ｔ1，Ｔ3間及び導子Ｔ2，Ｔ4間に互いに異なる周波数の電流を通流させる。再び、所定時間経過後、ポイントＰ3の周囲に干渉波を生成させるべく、導子Ｔ2，Ｔ4間に１０００Ｈｚの電流を通流させると共に、導子Ｔ3，Ｔ5間に１００３Ｈｚの電流を通流させる。このような切替動作を繰り返すことによって、ポイントＰ1からＰ5へ略円形に、干渉波の生成領域を経時的に移動させる。
【００３９】
これによって、前述した如く、５つの導子Ｔ1〜Ｔ5を患部の周囲に適当に配置した場合であっても、干渉波の生成領域が経時的に順次移動するので、患部及びその周囲を十分に治療することができる。なお、本実施例では、干渉波の生成領域を略円形に移動させるようにしてあるが、本発明はこれに限らず、ランダムに移動させるようにしてもよい。
【００４０】
【発明の効果】
請求項１記載の本発明によれば、５つ以上の導子を具備し、各導子別に駆動部がそれぞれ設けてあり、制御部は、各導子の内の適宜の少なくとも２対の導子間に互いに異なる周波数の電流を、前記一対の導子間を結ぶ線分と、前記他対の導子間を結ぶ線分との交点の位置が経時的に異なるように通流させるべく、各駆動部の駆動動作を制御するようにしてあるため、干渉波による治療領域が順次移動し、各導子を患部の周囲に適当に配置した場合でも、患部及びその周囲を十分に治療することができる。従って、ユーザの使用様態に拘わらず、干渉波による治療効率が高い低周波治療を行うことができる。
【００４１】
請求項２記載の本発明によれば、制御部は、適宜の前記一対の導子の一方を駆動する第１駆動部へ、一方の周波数の正極性（負極性）信号又は負極性（正極性）信号を出力すると共に、他方を駆動する第２駆動部へ負極性（正極性）信号又は正極性（負極性）信号を出力する第１信号出力手段と、適宜の前記他対の導子の一方を駆動する第３駆動部へ、他方の周波数の正極性（負極性）信号又は負極性（正極性）信号を出力すると共に、他方を駆動する第４駆動部へ負極性（正極性）信号及び正極性（負極性）信号を出力する第２信号出力手段とを具備するため、任意の導子を正極としても、負極としても駆動させることができ、前述した交点を適宜に移動させることができる。
【００４２】
請求項３記載の本発明によれば、前記第１信号出力手段は、第１駆動部へ正極性信号及び負極性信号を交互に出力する複相出力モードと、第１駆動部へ正極性信号又は負極性信号を出力する単相出力モードとを切替可能にしてあると共に、第２駆動部へ負極性信号及び正極性信号を交互に出力する複相出力モードと、第２駆動部へ負極性信号又は正極性信号を出力する単相出力モードとを切替可能にしてあり、前記第２信号出力手段は、第３駆動部へ正極性信号及び負極性信号を交互に出力する複相出力モードと、第３駆動部へ正極性信号又は負極性信号を出力する単相出力モードとを切替可能にしてあると共に、第４駆動部へ負極性信号及び正極性信号を交互に出力する複相出力モードと、第４駆動部へ負極性信号又は正極性信号を出力する単相モードとを切替可能にしてあり、第１信号出力部及び／又は第２信号出力部に、複相出力モードと単相出力モードとを切り替えさせる切替器を備えるため、単相モードでは、干渉波による治療領域は相対的に狭く、患部を集中的に治療することができる一方、複相モードでは、干渉波による治療領域は相対的に広く、より広い領域を十分に治療することができる。
【００４３】
請求項４記載の本発明によれば、各駆動部は、充電回路と、該充電回路に蓄えられた電荷を導子へ放電させる放電回路と、導子を接地させる接地回路とを具備し、前記正極性信号は放電回路に、前記負極性信号は接地回路に与えられるようになっているため、比較的簡単な構成で任意の導子を正極又は負極として駆動することができ、装置コストの低減化を図ることができる。
【００４４】
請求項５記載の本発明によれば、各充電回路にはそれぞれゲートを介して電圧が印加されるようになっており、前記制御部は、各ゲートを開閉させる制御信号を出力する制御信号出力手段を具備するため、駆動対象でない導子に係る充電回路には電荷が蓄えられず、駆動停止状態から駆動状態に切り替えられたタイミングで、当該導子からユーザに刺激を与える電流が通流されることが防止される等、本発明は優れた効果を奏する。
【図面の簡単な説明】
【図１】本発明に係る低周波治療器の要部構成を示すブロック図である。
【図２】図１に示した各導子の配置及び干渉波の生成領域を説明する説明図である。
【図３】図２に示した各導子の切替動作の一例を説明する説明図である。
【図４】従来の低周波治療器の動作状態を説明する説明図である。
【符号の説明】
１    制御部
２    昇圧用パルス生成部
３    発振回路制御部
４    プラス極性パルス生成部
５    マイナス極性パルス生成部
７    ゲート
８    発振回路
９    昇圧部
１０  放電回路
１１  接地回路
４１  第１生成部
４２  第２生成部
５３  第３生成部
５４  第４生成部
２１  第１切替器
２２  第２切替器
Ｅ    駆動回路
Ｔ    導子
【図１】
2004202072.tif 000003
【図２】
2004202072.tif 000004
【図３】
2004202072.tif 000005
【図４】
2004202072.tif 000006